(57)【要約】【課題】地域情報が印刷された情報紙面及びこの情報紙面が掲示板に貼り付けられた情報表示板において、視認性の良さが維持しつつも、閲覧者を関連する情報提供ウェブサイトに誘導できる情報表示板を提供することを目的とする。【解決手段】地理情報を表す図と、該地理情報に関連する動画を供給するサーバにアクセスするウェブアドレスに対応付けられ、文字や写真若しくは絵といった人に視認し得る誘導画像（２Ａ乃至２Ｐ）と、が印刷され、カメラと表示画面５１を備えた携帯端末５が誘導画像（２Ａ乃至２Ｐ）にかざされると、携帯端末５のプロセッサが誘導画像（２Ａ乃至２Ｐ）の明暗情報に基づいて誘導画像（２Ａ乃至２Ｐ）を特定して誘導画像（２Ａ乃至２Ｐ）に対応付けられているウェブアドレスにアクセスすることにより、前記地理情報に関連する動画が表示画面５１に表示されることを特徴とする情報表示板１。【選択図】図１
0003210421.tif 000002
【実用新案登録請求の範囲】
【請求項１】
地理情報を表す図と、該地理情報に関連する動画を供給するサーバにアクセスするウェブアドレスに対応付けられ、文字や写真若しくは絵といった人に視認し得る誘導画像と、が印刷され、カメラと表示画面を備えた携帯端末が前記誘導画像にかざされると、前記携帯端末のプロセッサが前記誘導画像の明暗情報に基づいて前記誘導画像を特定して前記誘導画像に対応付けられているウェブアドレスを有する前記サーバにアクセスすることにより、前記地理情報に関連する動画が前記表示画面に表示されることを特徴とする情報表示板。
【請求項２】
請求項１に記載の情報表示板において、一地方のイラスト入り地図である前記地理情報を表す図と、前記一地方の拠点に関連する前記動画を供給するサーバにアクセスするウェブアドレスに対応付けられた前記誘導画像が印刷されていることを特徴とする情報表示板。
【請求項３】
請求項１または請求項２に記載の情報表示板において、静岡県のイラスト入り地図である前記地理情報を表す図と、前記静岡県の県内の関連組織が用意した特産物や名所紹介の前記動画を供給するサーバにアクセスするウェブアドレスに対応付けられた前記誘導画像が印刷されていることを特徴とする情報表示板。
【請求項４】
請求項１または請求項２に記載の情報表示板において、茨城県の地図である前記地理情報を表す図と、前記茨城県の関連団体が用意した特産物や名所紹介の前記動画を供給するサーバにアクセスするウェブアドレスに対応付けられた前記誘導画像が印刷されていることを特徴とする情報表示板。
【請求項５】
請求項１または請求項２に記載の情報表示板において、山口県の地図である前記地理情報を表す図と、前記茨城県の関連団体が用意した特産物や名所紹介の前記動画を供給するサーバにアクセスするウェブアドレスに対応付けられた前記誘導画像が印刷されていることを特徴とする情報表示板。
【請求項６】
請求項１に記載の情報表示板において、前記地理情報として世界地図を表す図と、各国代表であるラグビーワールドカップ出場チームの前記動画を供給するサーバにアクセスするウェブアドレスに対応付けられた前記誘導画像が、該当国の場所に印刷されていることを特徴とする情報表示板。
【考案の詳細な説明】
【技術分野】
【０００１】
本考案は、地域のウェブ情報にアクセスするのに便利な、印刷された情報紙面及びこの情報紙面が掲示板に貼り付けられた情報表示板に関する。
【背景技術】
【０００２】
印刷された紙面を閲覧する者を情報提供ウェブサイトに誘導する手段として２次元バーコードが多用されている。例えば、特許文献１には、背景技術として、新聞や雑誌等の印刷媒体に印刷された２次元バーコードが、カメラ付携帯端末に取り込まれることにより、同２次元バーコードで示されるウェブサイトに容易にアクセスできることが記載されている。
【先行技術文献】
【特許文献】
【０００３】
【特許文献１】特開２００７−１２８４７１号公報
【考案の概要】
【考案が解決しようとする課題】
【０００４】
しかし、特許文献１記載されているような２次元バーコードは、人が見てそのまま理解できるものではなく、このようなコードが多数、写真や図を主体とする印刷物に印字されるということは、その写真や図面を見難くし、写真や図面としての品質が損なわれるという課題があった。
【０００５】
そこで、本考案の目的、すなわち解決しようとする技術的課題は、地域情報が印刷された情報紙面及びこの情報紙面が掲示板に貼り付けられた情報表示板において、視認性の良さを維持しつつも、閲覧者を関連する情報提供ウェブサイトに誘導できる情報表示板を提供することにある。
【課題を解決するための手段】
【０００６】
そこで、請求項１に開示の構成を、地理情報を表す図と、該地理情報に関連する動画を供給するサーバにアクセスするウェブアドレスに対応付けられ、文字や写真若しくは絵といった人に視認し得る誘導画像と、が印刷され、カメラと表示画面を備えた携帯端末が前記誘導画像にかざされると、前記携帯端末のプロセッサが前記誘導画像の明暗情報に基づいて前記誘導画像を特定して前記誘導画像に対応付けられているウェブアドレスを有する前記サーバにアクセスすることにより、前記地理情報に関連する動画が前記表示画面に表示されることを特徴とする情報表示板としたことにより上記課題を解決した。
【０００７】
また、請求項２に開示の構成を、請求項１に記載の情報表示板において、一地方のイラスト入り地図である前記地理情報を表す図と、前記一地方の拠点に関連する前記動画を供給するサーバにアクセスするウェブアドレスに対応付けられた前記誘導画像が印刷されていることを特徴とする情報表示板としたことにより上記課題を解決した。
【０００８】
更に、請求項３に開示の構成を、請求項１または請求項２に記載の情報表示板において、静岡県のイラスト入り地図である前記地理情報を表す図と、前記静岡県の県内の関連組織が用意した特産物や名所紹介の前記動画を供給するサーバにアクセスするウェブアドレスに対応付けられた前記誘導画像が印刷されていることを特徴とする情報表示板としたことにより上記課題を解決した。
【０００９】
更に、請求項４に開示の構成を、請求項１または請求項２に記載の情報表示板において、茨城県の地図である前記地理情報を表す図と、前記茨城県の関連団体が用意した特産物や名所紹介の前記動画を供給するサーバにアクセスするウェブアドレスに対応付けられた前記誘導画像が印刷されていることを特徴とする情報表示板としたことにより上記課題を解決した。
【００１０】
更に、請求項５に開示の構成を、請求項１または請求項２に記載の情報表示板において、山口県の地図である前記地理情報を表す図と、前記茨城県の関連団体が用意した特産物や名所紹介の前記動画を供給するサーバにアクセスするウェブアドレスに対応付けられた前記誘導画像が印刷されていることを特徴とする情報表示板としたことにより上記課題を解決した。
【００１１】
更に、請求項６に開示の構成を、請求項１に記載の情報表示板において、前記地理情報として世界地図を表す図と、各国代表であるラグビーワールドカップ出場チームの前記動画を供給するサーバにアクセスするウェブアドレスに対応付けられた前記誘導画像が、該当国の場所に印刷されていることを特徴とする情報表示板としたことにより上記課題を解決した。
【考案の効果】
【００１２】
請求項１に開示の構成は、視認性の良さが維持された地理情報に関する情報提供版を実現できる効果がある。請求項２に開示の構成は、一地方のイラスト入り地図の品質を維持しながら、その地方の拠点に関連する動画を供給するサーバに、携帯端末の使用者を容易に導くことができる効果がある。
【００１３】
請求項３に開示の構成は、静岡県のイラスト入り地図の品質を維持しながら、静岡県の県内の関連組織が用意した特産物や名所紹介の動画を供給するサーバに、携帯端末の使用者を容易に導くことができる効果がある。請求項４に開示の構成は、茨城県の地図の品質を維持しながら、関連団体が用意した特産物や名所紹介の動画を供給するサーバに、携帯端末の使用者を容易に導くことができる効果がある。
【００１４】
請求項５に開示の構成は、山口県の地図の品質を維持しながら、関連団体が用意した特産物や名所紹介の動画を供給するサーバに、携帯端末の使用者を容易に導くことができる効果がある。請求項６に開示の構成は、世界地図の品質を維持しながら、出場チームを紹介する動画を供給するサーバに携帯端末の使用者を容易に導くことができる効果がある。
【図面の簡単な説明】
【００１５】
【図１】は本考案の実施形態に係る情報表示板であるイラスト入り地図である。
【図２】（Ａ）は本考案の実施形態に係る情報提供板の誘導画像とウェブアドレスの関係を示す図、（Ｂ)は同情報提供板にかざした携帯端末がする処理のフロー図、（Ｃ）は同携帯端末がする他の処理のフロー図である。
【図３】は本考案の実施形態に係る情報表示板の例であって、（Ａ）は同情報表示板に印刷された誘導画像を示す図、（Ｂ）は同情報表示板とこれに印刷された誘導画像で誘導されるウェブアドレスに対応する動画を格納するサーバを示す図である。
【図４】は本考案の他の実施形態に係る情報表示板を示す図である。
【図５】は本考案の、もう１つの他の実施形態に係る情報表示板を示す図である。
【図６】は本考案の、更にもう１つの他の実施形態に係る情報表示板を示す図。
【考案を実施するための形態】
【００１６】
図１に基づいて、本考案の実施例に係る情報表示板の説明をする。図１において、情報表示板１は特産品のイラスト入りの静岡県の略地図である。情報表示板１の各地点には、それぞれ、誘導画像２Ａ、２Ｂ、２Ｃ、２Ｄ、２Ｅ、２Ｆ、２Ｇ、２Ｈ、２Ｉ、２Ｊ、２Ｋ、２Ｌ、２Ｍ、２Ｎ、２Ｏ及び２Ｐが印刷されている。
【００１７】
これらの誘導画像は全て、角が丸くなった略正方形の太線枠に囲まれている。この太線枠の縦横の大きさはいずれも等しい大きさである。これは、後記する、誘導画像特徴である。これらの誘導画像を囲む太線枠の形状は角が丸い略正方形に限らず、４角形以上の多角形でもよいし、これらの角をとって丸くしたものでも良い。
【００１８】
また、これらの誘導画像２Ａ乃至２Ｐには、それぞれ関連する動画像ファイル３Ａ乃至３Ｐがあって、サーバ４に格納されている。該サーバ４に格納されている前記動画像ファイル３Ａ乃至３Ｐには、それぞれ、固有のウェブアドレスが割り当てられている。ウェブアドレスとして、たとえば、ユニフォーム・リソース・ロケーター（ＵＲＬ）がある。つまり、インターネット通信をすることができる端末で該当するウェブアドレスを入力すれば、前記動画像ファイル３Ａ乃至３Ｐにアクセスして閲覧することができる。これらの動画ファイルは、静岡県の県内の関連組織が用意した特産物や名所を紹介するものである。
【００１９】
図２（Ａ）に示すように、誘導画像２Ａ乃至２Ｐにはそれぞれ、関連する動画像ファイルにアクセスすることができるＵＲＬが割り当てられている。したがって、以下、図２（Ｂ）及び（Ｃ）に基づいて説明するように、誘導画像２Ａ乃至２Ｐのいずれか１つを特定すれば、これに関連するＵＲＬも特定され、このＵＲＬに該当する動画ファイルにアクセスして閲覧することができるようすることができる。
【００２０】
まず、図２（Ｂ）に示す処理フローに基づいて、カメラ付携帯端末５の処理フローを説明する。カメラ付携帯端末５は、後記する照合を行うために、予め、誘導画像２Ａ乃至２Ｐをモデル誘導画像として、その内部メモリ等に格納している。まず、カメラ付携帯端末５の使用者が前記情報表示板１の中の誘導画像２Ａ乃至２Ｐのいずれかに該カメラ付携帯端末５のカメラをかざしてその誘導画像を含む画像を、カメラ付携帯端末５に取得する（Ｓ１）。該カメラ付携帯端末５内では、取得された画像が前記モデル誘導画像と照合され、その取得画像が前記モデル誘導画像のいずれであるかが確定される。この処理を照合と称することとする。この処理は「モデル誘導画像と取得画像を照合」Ｓ２ｔである。
【００２１】
確定したモデル誘導画像、すなわち、誘導画像に関連しているＵＲＬにアクセスする「照合された、モデル誘導画像に関連付けられたＵＲＬにアクセスＳ３」。この処理により、前記使用者は、当該ＵＲＬの存在を意識することなく、このＵＲＬで指定される動画像ファイルにアクセスすることができる。この結果、アクセスされた動画像は、カメラ付携帯端末５の表示画面５１に表示される（Ｓ４）。
【００２２】
以上の処理をカメラ付携帯端末５で行うには、図２（Ｂ）に示す処理を行うプログラムを、カメラ付携帯端末５にインストールしておく必要がある。この図２（Ｂ）に示す処理を行うプログラムを以後、閲覧用プログラムという。この閲覧用プログラムには、前記誘導画像２Ａ、２Ｂ、２Ｃ、２Ｄ、２Ｅ、２Ｆ、２Ｇ、２Ｈ、２Ｉ、２Ｊ、２Ｋ、２Ｌ、２Ｍ、２Ｎ、２Ｏ及び２Ｐのモデル画像が含まれている。
【００２３】
具体的には、これらのモデル誘導画像の２次元濃淡パターンが情報として含まれている。更に、これらの誘導画像に関連する動画ファイルにアクセスするためのＵＲＬも、それぞれ、関連付けられて前記閲覧用プログラムに含まれている。例えば、図３（Ａ）は、前記前記閲覧用プログラムに含まれている濃淡パターン情報の例である。
【００２４】
前記閲覧用プログラムは、カメラ付き携帯端末５のプロセッサに図２（Ｂ）の処理を行わせることは既に説明した。前記プロセッサは処理（Ｓ２ｔ）において、カメラ付き携帯端末５で入力した画像を解析して、画像中に、前記誘導画像特徴を検出すると、これを前記誘導画像と見做して次の処理に進む。前記誘導画像２Ａ、２Ｂ、２Ｃ、２Ｄ、２Ｅ、２Ｆ、２Ｇ、２Ｈ、２Ｉ、２Ｊ、２Ｋ、２Ｌ、２Ｍ、２Ｎ、２Ｏ及び２Ｐの前記誘導画像特徴は全て等しい大きさである。そこで、前記プロセッサは、この前記誘導画像特徴の大きさに基づいて前記取得したカメラ付き携帯端末５で入力した画像の大きさを規格化する。
【００２５】
そのうえで、前記取得した画像の２次元濃淡パターンと、あらかじめ登録されている、図３（Ａ）に示す濃淡パターン情報と比較をして、最も類似度の大きい誘導画像を、前記誘導画像２Ａ、２Ｂ、２Ｃ、２Ｄ、２Ｅ、２Ｆ、２Ｇ、２Ｈ、２Ｉ、２Ｊ、２Ｋ、２Ｌ、２Ｍ、２Ｎ、２Ｏ及び２Ｐの中から選択する。画像間の類似度の大小は既存のパターンマッチング技術によって達成される。パターンマッチングは取得した画像と予め登録されている画像の双方を二値化した後に比較してもよいが、濃淡情報のまま、相関演算によって、類似度の対象を決定してもよい。
【００２６】
選択された登録画像には、前述の通り、関連する動画ファイルにアクセスするためのＵＲＬが決められている。そこで、前記プロセッサは選択された登録画像に予め関連付けられているＵＲＬにアクセスする。その結果、前記選択された登録画像に関する動画ファイルが再生され、表示画面５１に表示される。以上の構成により、カメラ付き携帯端末５の使用者は、図３（Ｂ）に示すように、本発明の実施形態に係る情報表示板１に、カメラ付き携帯端末５をかざすだけで、前記誘導動画に関連する動画像３Ａ乃至３Ｐを適宜、表示画面５１に表示させることができる。そして、動画像３Ａ乃至３Ｐがサーバ４に保存されていることは前述の通りである。
【００２７】
先の説明は、前記閲覧用プログラムがカメラ付き携帯端末５に既にインストールされていることを前提としていた。しかし、前記閲覧用プログラムが、例えばサーバ４に保存されていて、他のカメラ付き携帯端末にダウンロードすることができれば、前記他のカメラ付き携帯端末によっても、カメラ付き携帯端末５同様に、再生動画を表示画面に表示することができる。
【００２８】
サーバ４に保存された前記閲覧用プログラムにアクセスするためのＵＲＬは、例えば、２次元バーコードとして、情報表示板１の隅などいずれか一か所に印刷しておけばよい。前記他のカメラ付き携帯端末の使用者は、前記２次元バーコードに基づいて、サーバ４に保存された前記閲覧用プログラムにアクセスし、これを前記他のカメラ付き携帯端末にインストールすることができる。
【００２９】
ここまでの説明では、カメラ付携帯端末５のメモリ内部に、モデル誘導画像と照合プログラムが格納され、該カメラ付携帯端末５のプロセッサによって、処理（Ｓ２ｔ）、すなわち、モデル融合画像と取得画像の照合が行われていた。
【００３０】
一方、図２（Ｃ）の処理フローに基づいて説明する方式では、カメラ付携帯端末５は取得画像をサーバ４に送り、該サーバ４にて、モデル誘導画像と取得画像の照合が行われる。これは処理（Ｓ２ｓ）である。
【００３１】
まず、カメラ付携帯端末５の使用者が前記情報表示板１の中の誘導画像２Ａ乃至２Ｐのいずれかに該カメラ付携帯端末５のカメラをかざしてその誘導画像を含む画像を、カメラ付携帯端末５に取得する（Ｓ１）。これは図２（Ｂ）の処理フローと同様である。つぎに、取得画像をサーバ４に送信する（Ｓ５）。そうすると、サーバ４では、その取得画像を受信する（Ｓ６）。
【００３２】
次いで、サーバ４にて、モデル誘導画像と取得画像が照合される（Ｓ２ｓ）。照合により確定した誘導画像に関連付けられたＵＲＬが特定される（Ｓ７）。更に、サーバは、カメラ付携帯端末５に対して、その特定されたＵＲＬにアクセスする指示を送る（Ｓ８）。以上が、サーバ４における処理である。
【００３３】
その後、カメラ付携帯端末５にて、サーバ４が指定した動画ファイルにアクセスする（Ｓ３ｓ）。アクセスにより再生された動画像は表示画面５１に表示される（Ｓ４）。以上のカメラ付携帯端末５とサーバ４の相互処理によって、各誘導画像に関連した動画像がカメラ付携帯端末５の表示画面５１に表示される。以上の構成により、地域情報が印刷された情報紙面及びこの情報紙面が掲示板に貼り付けられた情報表示板において、視認性の良さが維持しつつも、閲覧者を関連する情報提供ウェブサイトに誘導できる情報表示板を提供することができる。
【００３４】
次に、図４に基づいて、茨城県の地図と、茨城県の関連団体が用意した特産物や名所紹介の前記動画を供給するサーバ４Ｂ（図示せず）にアクセスするウェブアドレスに対応付けられた誘導画像６Ａ，６Ｂ，〜６Ｉが印刷されている情報表示板１Ｂを説明する。誘導画像６Ａ，６Ｂ，〜６ＩにはそれぞれＵＲＬが割り振られていて、カメラ付き携帯端末５がかざされることにより、該当するＵＲＬに保存されている動画が、表示画面５１に表示されることとなる。
【００３５】
カメラ付き携帯端末５の使用者は、情報表示板１Ｂ用のデータとして、予め誘導画像６Ａ，６Ｂ，〜６Ｉと関係するＵＲＬの対応表を、カメラ付き携帯端末５に保存しておく必要がある。図４には図示していないが、例えば、情報表示板１Ｂの隅などに、前記対応表が保存されているサーバ４ＢのＵＲＬを表す２次元バーコードを印刷して、カメラ付き携帯端末５のアクセス先を該ＵＲＬに誘導することができる。その上で、カメラ付き携帯端末５に前記ＵＲＬの対応表を保存させればよい。
【００３６】
次に、図５に基づいて、山口県の地図と、山口県の関連団体が用意した特産物や名所紹介の前記動画を供給するサーバ４Ｃ（図示せず）にアクセスするウェブアドレスに対応付けられた誘導画像７Ａ，７Ｂ，〜７Ｉが印刷されている情報表示板１Ｃを説明する。誘導画像７Ａ，７Ｂ，〜７ＩにはそれぞれＵＲＬが割り振られていて、カメラ付き携帯端末５がかざされることにより、該当するＵＲＬに保存されている動画が、表示画面５１に表示されることとなる。
【００３７】
カメラ付き携帯端末５の使用者は、情報表示板１Ｂ用のデータとして、予め誘導画像７Ａ，７Ｂ，〜７Ｉと関係するＵＲＬの対応表を、カメラ付き携帯端末５に保存しておく必要がある。図５には図示していないが、例えば、情報表示板１Ｃの隅などに、前記対応表が保存されているサーバ４ＣのＵＲＬを表す２次元バーコードを印刷して、カメラ付き携帯端末５のアクセス先を該ＵＲＬに誘導することができる。その上で、カメラ付き携帯端末５に前記ＵＲＬの対応表を保存させればよい。
【００３８】
次に、図６に基づいて、本発明の実施形態をラグビーワールドカップの情報表示板に用いた場合を説明する。情報提供版１Ｄには、地理情報である世界地図が印刷されている。更に、各国代表であるラグビーワールドカップ出場チームを紹介する動画を供給するサーバ４Ｄ（図示せず。）にアクセスするウェブアドレスに対応付けられた誘導画像８Ａ乃至８Ｔが、該当国の場所若しくはその付近に印刷されている。例えば、スコットランド（８Ａ）、イングランド（８Ｂ）、ウェールズ（８Ｃ）及びアイルランド（８Ｄ）は比較的近い位置に集中していて該当国の場所には表示できないため、それらの付近に表示して印刷している。
【００３９】
前記誘導画像８Ａ乃至８Ｔには、それぞれ、該当チームの紹介動画が保存されているサーバ４ＤにアクセスするためのＵＲＬが割り振られている。カメラ付き携帯端末５に、これらの誘導画像８Ａ乃至８Ｔに関する２次元濃淡パターンが情報とこれに対応するＵＲＬの表が保存されていれば、カメラ付き携帯端末５を前記誘導画像８Ａ乃至８Ｔにかざすことにより、該当する動画が表示画面５１に表示されることとなる。
【符号の説明】
【００４０】
１，１Ｂ，１Ｃ，１Ｄ…情報表示板、２Ａ，２Ｂ，〜２Ｐ…誘導画像、
３Ａ，３Ｂ，〜３Ｐ…動画像ファイル、４，４Ｂ，４Ｃ，４Ｄ…サーバ、
５…カメラ付き携帯端末、５１…表示画面、６Ａ，６Ｂ，〜６Ｉ…誘導画像、
７Ａ，７Ｂ，〜７Ｉ…誘導画像、８Ａ，８Ｂ，〜８Ｔ…誘導画像。
【図１】
0003210421.tif 000003
【図２】
0003210421.tif 000004
【図３】
0003210421.tif 000005
【図４】
0003210421.tif 000006
【図５】
0003210421.tif 000007
【図６】
0003210421.tif 000008
【手続補正書】
【提出日】平成29年3月15日(2017.3.15)
【手続補正１】
【補正対象書類名】実用新案登録請求の範囲
【補正対象項目名】全文
【補正方法】変更
【補正の内容】
【実用新案登録請求の範囲】
【請求項１】
地理情報に関連する動画を供給するサーバにアクセスするウェブアドレスに対応付けられ、文字や写真若しくは絵といった人に視認し得る誘導画像が各地点に印刷された地図であって、カメラと表示画面を備えた携帯端末が前記誘導画像にかざされると、前記携帯端末のプロセッサが前記誘導画像の明暗情報に基づいて前記誘導画像を特定して前記誘導画像に対応付けられているウェブアドレスを有する前記サーバにアクセスすることにより、前記地理情報に関連する動画が前記表示画面に表示されることを特徴とする地図。
【請求項２】
請求項１に記載の地図において、一地方のイラスト入り地図である前記地理情報を表す地図であって、前記一地方の拠点に関連する前記動画を供給するサーバにアクセスするウェブアドレスに対応付けられた前記誘導画像が各地点に印刷されていることを特徴とする地図。
【請求項３】
請求項１又は請求項２に記載の地図において、静岡県のイラスト入り地図であって、前記静岡県の県内の関連組織が用意した特産物や名所紹介の前記動画を供給するサーバにアクセスするウェブアドレスに対応付けられた前記誘導画像が各地点に印刷されていることを特徴とする地図。
【請求項４】
請求項１又は請求項２に記載の地図において、茨城県の地図であって、前記茨城県の関連団体が用意した特産物や名所紹介の前記動画を供給するサーバにアクセスするウェブアドレスに対応付けられた前記誘導画像が各地点に印刷されていることを特徴とする地図。
【請求項５】
請求項１又は請求項２に記載の地図において、山口県の地図であって、前記山口県の関連団体が用意した特産物や名所紹介の前記動画を供給するサーバにアクセスするウェブアドレスに対応付けられた前記誘導画像が各地点に印刷されていることを特徴とする地図。
【請求項６】
請求項１に記載の地図において、前記地理情報としての世界地図であって、各国代表であるラグビーワールドカップ出場チームの前記動画を供給するサーバにアクセスするウェブアドレスに対応付けられた前記誘導画像が、該当国の場所に印刷されていることを特徴とする地図。
【手続補正３】
【補正対象書類名】明細書
【補正対象項目名】０００６
【補正方法】変更
【補正の内容】
【０００６】
そこで、請求項１に開示の構成を、地理情報に関連する動画を供給するサーバにアクセスするウェブアドレスに対応付けられ、文字や写真若しくは絵といった人に視認し得る誘導画像が各地点に印刷された地図であって、カメラと表示画面を備えた携帯端末が前記誘導画像にかざされると、前記携帯端末のプロセッサが前記誘導画像の明暗情報に基づいて前記誘導画像を特定して前記誘導画像に対応付けられているウェブアドレスを有する前記サーバにアクセスすることにより、前記地理情報に関連する動画が前記表示画面に表示されることを特徴とする地図としたことにより上記課題を解決した。
【手続補正４】
【補正対象書類名】明細書
【補正対象項目名】０００７
【補正方法】変更
【補正の内容】
【０００７】
また、請求項２に開示の構成を、請求項１に記載の地図において、一地方のイラスト入り地図である前記地理情報を表す地図であって、前記一地方の拠点に関連する前記動画を供給するサーバにアクセスするウェブアドレスに対応付けられた前記誘導画像が各地点に印刷されていることを特徴とする地図としたことにより上記課題を解決した。
【手続補正５】
【補正対象書類名】明細書
【補正対象項目名】０００８
【補正方法】変更
【補正の内容】
【０００８】
更に、請求項３に開示の構成を、請求項１または請求項２に記載の地図において、静岡県のイラスト入り地図であって、前記静岡県の県内の関連組織が用意した特産物や名所紹介の前記動画を供給するサーバにアクセスするウェブアドレスに対応付けられた前記誘導画像が各地点に印刷されていることを特徴とする地図としたことにより上記課題を解決した。
【手続補正６】
【補正対象書類名】明細書
【補正対象項目名】０００９
【補正方法】変更
【補正の内容】
【０００９】
更に、請求項４に開示の構成を、請求項１または請求項２に記載の地図において、茨城県の地図であって、前記茨城県の関連団体が用意した特産物や名所紹介の前記動画を供給するサーバにアクセスするウェブアドレスに対応付けられた前記誘導画像が各地点に印刷されていることを特徴とする地図としたことにより上記課題を解決した。
【手続補正７】
【補正対象書類名】明細書
【補正対象項目名】００１０
【補正方法】変更
【補正の内容】
【００１０】
更に、請求項５に開示の構成を、請求項１または請求項２に記載の地図において、山口県の地図であって、前記山口県の関連団体が用意した特産物や名所紹介の前記動画を供給するサーバにアクセスするウェブアドレスに対応付けられた前記誘導画像が各地点に印刷されていることを特徴とする地図としたことにより上記課題を解決した。
【手続補正８】
【補正対象書類名】明細書
【補正対象項目名】００１１
【補正方法】変更
【補正の内容】
【００１１】
更に、請求項６に開示の構成を、請求項１に記載の地図において、前記地理情報としての世界地図であって、各国代表であるラグビーワールドカップ出場チームの前記動画を供給するサーバにアクセスするウェブアドレスに対応付けられた前記誘導画像が、該当国の場所に印刷されていることを特徴とする地図としたことにより上記課題を解決した。
【手続補正９】
【補正対象書類名】明細書
【補正対象項目名】００３８
【補正方法】変更
【補正の内容】
【００３８】
次に、図６に基づいて、本発明の実施形態をラグビーワールドカップの情報表示板に用いた場合を説明する。情報表示板１Ｄには、地理情報である世界地図が印刷されている。更に、各国代表であるラグビーワールドカップ出場チームを紹介する動画を供給するサーバ４Ｄ（図示せず。）にアクセスするウェブアドレスに対応付けられた誘導画像８Ａ乃至８Ｔが、該当国の場所若しくはその付近に印刷されている。例えば、スコットランド（８Ａ）、イングランド（８Ｂ）、ウェールズ（８Ｃ）及びアイルランド（８Ｄ）は比較的近い位置に集中していて該当国の場所には表示できないため、それらの付近に表示して印刷している。